(57)【特許請求の範囲】
【請求項１】
複数の金属殻を接合して形成され内部に中空部を有するヘッドを備えたゴルフクラブにおいて、前記ヘッドの側周部の内壁に、上下方向において中間の高さの位置に肉盛打球音調整部が肉盛溶接により突出形成されていると共に、肉盛打球音調整部は、ほぼ水平になって、トウ側からバックを経てヒール側に至るように形成したことを特徴とするゴルフクラブ。
【請求項２】
複数の金属殻を接合して形成され内部に中空部を有するヘッドを備えたゴルフクラブにおいて、前記ヘッドの底部に、フェースと平行ないし直交する方向性を有するほぼ井の字形状に部分的に熱処理を施して硬化させた硬化打球音調整部を形成したことを特徴とするゴルフクラブ。
【請求項３】
複数の金属殻を接合して形成され内部に中空部を有するヘッドを備えたゴルフクラブにおいて、前記ヘッドのクラウン部材に、フェースと平行ないし直交する方向性を有するほぼ井の字形状に部分的に熱処理を施して硬化させた硬化打球音調整部を形成したことを特徴とするゴルフクラブ。
【請求項４】
複数の金属殻を接合して形成され内部に中空部を有するヘッドを備えたゴルフクラブにおいて、前記ヘッドの底部およびクラウン部材に、フェースと平行ないし直交する方向性を有するほぼ井の字形状に部分的に熱処理を施して硬化させた硬化打球音調整部を形成したことを特徴とするゴルフクラブ。
【発明の詳細な説明】
【０００１】
【発明の属する技術分野】
本発明は、ゴルフクラブに係わり、特に、複数の金属殻を接合して形成され内部に中空部を有するヘッドを備えたゴルフクラブに関する。
【０００２】
【発明が解決しようとする課題】
従来から、特にウッドゴルフクラブなどにおいて、複数の金属殻を接合して内部に中空部を有するヘッドを構成することが行われている。これとともに、素材として軽量でありながら強度を確保できるチタンあるいはチタン合金を用いることにより、近年ヘッドは画期的に大型化している。このヘッドの大型化傾向はなおも続いており、当初の体積240〜250cc程度のものから、現在では体積が300ccを越えるヘッドも登場している。
【０００３】
大きなヘッドには、フェース面つまり打球面自体が大きくなるため、フェース面において打撃されたボールが真っ直ぐによく飛ぶ範囲も大きくなり、初心者にとっても扱いやすい利点がある。しかしながら、ヘッドの大型化は、打球音の不快感を招く結果をももたらした。すなわち、ゴルフクラブでボールを打撃する際、その衝撃によってヘッドは歪む。これにより、中空部を形成する各金属殻は振動し、打球音を発する。大型のヘッドの場合、従来のより小型のヘッドに比べて各金属殻の面積が大きく、一方材厚が薄くなるため、より歪みやすく振動も大きくなる。結果として、打球音は高く、大きくなりすぎてしまい、ゴルファーに不快感を与えることになった。
【０００４】
このような打球時の音の発生を抑えるために、従来は、ヘッドの中空部内に発泡ウレタンなどの軽量な充填物を注入する手段が採られていた。しかしながら、例えば発泡ウレタンといえども、中空部に充填すればかなりの量になり、それだけヘッドの重量の増大を招く。特にもとより大型のヘッドでは、中空部内に発泡ウレタンを充填すると、ヘッド全体の重量が過度に大きくなり、重くて振りにくいゴルフクラブになる。
【０００５】
本発明は、このような問題点を解決しようとするもので、複数の金属殻を接合して形成され内部に中空部を有するヘッドを備えたゴルフクラブにおいて、ヘッドの重量の増大を抑えながら、ゴルファーにとって快適な打球音が得られるようにすることを目的とする。
【０００６】
【課題を解決するための手段】
請求項１の発明は、前記目的を達成するために、複数の金属殻を接合して形成され内部に中空部を有するヘッドを備えたゴルフクラブにおいて、前記ヘッドの側周部の内壁に、上下方向において中間の高さの位置に肉盛打球音調整部が肉盛溶接により突出形成されていると共に、肉盛打球音調整部は、ほぼ水平になって、トウ側からバックを経てヒール側に至るように形成したものである。
【０００７】
この打球音調整部によって、ボールを打撃した際の金属殻の歪みを抑え、不快な音の発生を防ぐ。一方、打球音調整部によるヘッドの重量の増大はわずかなものである。
【０００８】
請求項２の発明は、前記目的を達成するために、複数の金属殻を接合して形成され内部に中空部を有するヘッドを備えたゴルフクラブにおいて、前記ヘッドの底部に、フェースと平行ないし直交する方向性を有するほぼ井の字形状に部分的に熱処理を施して硬化させた硬化打球音調整部を形成したものである。
【０００９】
この打球音調整部によって、ボールを打撃した際の金属殻の歪みを抑え、不快な音の発生を防ぐ。一方、打球音調整部によるヘッドの重量の増大はほとんどない。
【００１０】
請求項３の発明は、前記目的を達成するために、複数の金属殻を接合して形成され内部に中空部を有するヘッドを備えたゴルフクラブにおいて、前記ヘッドのクラウン部材に、フェースと平行ないし直交する方向性を有するほぼ井の字形状に部分的に熱処理を施して硬化させた硬化打球音調整部を形成したものである。
【００１１】
この打球音調整部によって、ボールを打撃した際の金属殻の歪みを抑え、不快な音の発生を防ぐ。一方、打球音調整部によるヘッドの重量の増大はほとんどない。
【００１２】
また、請求項４の発明は、複数の金属殻を接合して形成され内部に中空部を有するヘッドを備えたゴルフクラブにおいて、前記ヘッドの底部およびクラウン部材に、フェースと平行ないし直交する方向性を有するほぼ井の字形状に部分的に熱処理を施して硬化させた硬化打球音調整部を形成したものである。
【００１３】
この打球音調整部によって、ボールを打撃した際の金属殻の歪みを抑え、不快な音の発生を防ぐ。一方、打球音調整部によるヘッドの重量の増大はほとんどない。
【００１４】
【発明の実施形態】
以下、本発明のゴルフクラブの実施形態について、図面を参照しながら説明する。図１から図３は第１実施例を示している。この第１実施例のゴルフクラブはウッドクラブであり、ヘッド１が金属製で中空のいわゆるメタルウッドである。そのヘッド１は、前面がボールの打撃面をなすフェース２、後側がバック３、下側がソール４、上側がクラウン５、左右方向一側がトウ６、他側がヒール７をなしている。このヒール７の上側にはネック８が形成されており、このネック８からホーゼル９が上方へ突出している。このホーゼル９は、シャフト10が接続される接続部をなすものである。また、フェース２には複数の凹溝状のスコアーライン11が形成されている。
【００１５】
そして、前記ヘッド１は、チタンまたはチタン合金等からなる複数の金属殻を接合して構成され、内部が中空部15になっている。すなわち、ヘッド１の外殻部は、それぞれ板状の金属殻であるフェース部材16とボディ部材17とクラウン部材18からなっている。フェース部材16はフェース２を形成するものであり、クラウン部材18はクラウン５を形成するものであり、ボディ部材17はそれ以外のバック３を含めた側周部や底面部であるソール４を形成するものである。そして、これらフェース部材16、ボディ部材17およびクラウン部材18は、溶接などの手段により互いに接合されている。また、前記ネック８およびホーゼル９は、金属製の管状のホーゼル部材19により形成されている。このホーゼル部材19は、下端部がボディ部材17の底面部の内壁まで延びており、この内壁に先端部が溶接されている。20はボディ部材17とフェース部材16との接合部、21はボディ部材17とクラウン部材18との接合部、22はボディ部材17とホーゼル部材19の下端部との接合部である。接合部20は、ボディ部材17においてその前縁部に位置し、接合部21は、ボディ部材17においてその上縁部に位置する。そして、このように内部が中空部15に形成されたヘッド１の体積は270cc以上になっている。なお、ヘッド１の分割は上述の３分割に限るものではなく、フェース２側とバック３側とに２分割してもよいし、４分割以上に分割するなどしてもよい。
【００１６】
そして、第1実施例のヘッド１では、ボディ部材17の側周部の内壁において、上下方向において中間の高さの位置に肉盛打球音調整部23が突出形成されている。この肉盛打球音調整部23は、肉盛溶接により成形されており、ほぼ水平になっていて、トウ６側からバック３を経てヒール７側に至り、ボディ部材17のトウ−ヒール方向のほぼ全体に渡っている。
【００１７】
つぎに、前記の構成についてその作用を説明する。ヘッド１によりボールを打撃したとき、ボディ部材17に肉盛打球音調整部23があるために、ヘッド１の大型化に伴う重量の削減のためにボディ部材17の材厚が薄くしてあったとしても、このボディ部材17の歪みが抑えられ、ひいてはクラウン部材18の歪みも抑えられる。ボディ部材17とフェース部材16とクラウン部材18との接合部20，21に形成される溶接の肉盛も歪みを抑制する効果があるが、この接合部20，21以外の位置にも肉盛打球音調整部23が形成されているために、歪みをより抑制できる。しかも、肉盛打球音調整部23は、水平でボディ部材17のトウ−ヒール方向のほぼ全体に渡っているので、より確実に歪みを抑えられる。これにより、ボディ部材17やクラウン部材18などの金属殻の振動も小さくなり、打球音が低減され、不快な高くて大きい打球音の発生が防止される。したがって、ゴルファーにとって快適な打球音が得られる。さらに、前述のようにヘッド１が大型化するほど打球音の不快性が問題となるので、本実施例のように体積が270cc以上の大きいヘッドにおいて、肉盛打球音調整部23による不快な音の発生防止は特に効果的である。
【００１８】
また、肉盛打球音調整部23は局所的にのみ存在するものなので、肉盛打球音調整部23によるヘッド１の重量の増大はわずかなものであり、中空部15全体にウレタン樹脂を充填したような場合に比べ、ヘッド１全体の重量の増大を抑えられる。したがって、スイングしやすいゴルフクラブにできる。
【００１９】
図４は本発明のゴルフクラブの第２実施例を示すもので、この第２実施例のヘッド１は、前記第１実施例のヘッド１と基本的な構成は同じになっている。したがって、対応する部分には同一符号を付してその説明を省略する。本第２実施例のヘッド１は、前記第１実施例のヘッド１と同様に、ボディ部材17に肉盛打球音調整部23を形成したものであり、その作用効果も同様である。さらに、本第２実施例のヘッド１では、ボディ部材17の底面部の内壁に、フェース２側の端縁部からバック３側の端縁部に至る膨出部24を形成している。
【００２０】
この膨出部24にも、ボールの打撃時のボディ部材17の歪みを抑制する効果がある。したがって、不快な打球音の発生をより確実に防止できる。
【００２１】
つぎに、本発明のゴルフクラブの第３実施例について、図５および図６を参照して説明する。なお、金属殻による分割構成を含めてヘッド１の基本的構成は、前記第１実施例と同様の構成になっているので、対応する部分には同一符号を付してその説明を省略する。本第３実施例のヘッド１では、ボディ部材17の底部の内壁およびクラウン部材18に、部分的に熱処理を施して硬化させることによって硬化打球音調整部25，26（図面においてはクロスハッチングにより図示）がそれぞれ形成されている。これら硬化打球音調整部25，26は、フェース２と平行ないし直交する方向性を有するほぼ井の字形状になっている。このような部分的な熱処理には、例えばレーザービームなどを用いることができる。
【００２２】
そして、ヘッド１によりボールを打撃したとき、ボディ部材17およびクラウン部材18に硬化打球音調整部25，26があるために、ヘッド１の大型化に伴う重量の削減のためにボディ部材17やクラウン部材18の材厚が薄くしてあったとしても、これらの部材17，18の歪みが抑えられる。これにより、ボディ部材17やクラウン部材18などの金属殻の振動も小さくなり、打球音が低減され、不快な高くて大きい打球音の発生が防止される。したがって、ゴルファーにとって快適な打球音が得られる。さらに、前述のようにヘッド１が大型化するほど打球音の不快性が問題となるので、本実施例のように体積が270cc以上の大きいヘッドにおいて、硬化打球音調整部25，26による不快な音の発生防止は特に効果的である。
【００２３】
また、硬化打球音調整部25，26はボディ部材17やクラウン部材18自体の一部を硬化させたものなので、硬化打球音調整部25，26によるヘッド１の重量のはほとんどなく、中空部15全体にウレタン樹脂を充填したような場合に比べ、ヘッド１全体の重量の増大を抑えられる。したがって、スイングしやすいゴルフクラブにできる。
【００２４】
つぎに、本発明のゴルフクラブの参考例について、図７を参照して説明する。なお、金属殻による分割構成を含めてヘッド１の基本的構成は、前記参考例と同様の構成になっているので、対応する部分には同一符号を付してその説明を省略する。本参考例のヘッド１では、ボディ部材17の底面部の内壁において、その側周部であるバック３側の内壁とフェース部材16の内壁とを繋ぐ平板状の金属部材からなる打球音調整部としての打球音調整部材28を設けたものである。この打球音調整部材28は、例えばその両端部における溶接によりボディ部材17の底面部に接合してある。29は打球音調整部材28とボディ部材17との接合部である。
【００２５】
そして、ヘッド１によりボールを打撃したとき、ボディ部材17の底面部に打球音調整部材28があるために、ヘッド１の大型化に伴う重量の削減のためにボディ部材17の材厚が薄くしてあったとしても、このボディ部材17の歪みが抑えられ、ひいてはクラウン部材18の歪みも抑えられる。しかも、打球音調整部材28は、ボディ部材17の底面部にあってバック３側の内壁とフェース部材16の内壁とを繋いでいるため、打撃されたボールから加わる力に抗し、特にヘッド１の前後方向の歪みを抑えるように作用する。したがって、より効果的に歪みを抑えられる。これにより、ボディ部材17やクラウン部材18などの金属殻の振動も小さくなり、打球音が低減され、不快な高くて大きい打球音の発生が防止される。したがって、ゴルファーにとって快適な打球音が得られる。さらに、前述のようにヘッド１が大型化するほど打球音の不快性が問題となるので、本実施例のように体積が270cc以上の大きいヘッドにおいて、打球音調整部材28による不快な音の発生防止は特に効果的である。
【００２６】
また、打球音調整部材28は局所的にのみ存在するものなので、打球音調整部材28によるヘッド１の重量の増大はわずかなものであり、中空部15全体にウレタン樹脂を充填したような場合に比べ、ヘッド１全体の重量の増大を抑えられる。したがって、スイングしやすいゴルフクラブにできる。
【００２７】
なお、本発明は、前記実施例に限定されるものではなく、種々の変形実施が可能である。例えば、前記第1実施例および第２実施例の肉盛打球音調整部23は、ボディ部材17のトウ−ヒール方向のほぼ全体に渡って水平に形成されたものであったが、肉盛打球音調整部は、トウ−ヒール方向において部分的にのみ形成してもよく、また、方向性や形状も前記第1実施例および第２実施例のものには限らない。
【００２８】
また、前記第３実施例では、硬化打球音調整部25，26をソール４部およびクラウン５部にほぼ井の字形状に形成したが、硬化打球音調整部を形成する位置や硬化打球音調整部の形状は、それに限るものではない。
【００２９】
また、前記各実施例では、肉盛打球音調整部23、硬化打球音調整部25，26を単独で設けたが、これらを適宜組合わせることも可能である。例えば前記第1実施例の肉盛打球音調整部23、第２実施例の硬化打球音調整部25，26を全て組合わせることも可能である。そして、このように肉盛打球音調整部23、硬化打球音調整部25，26を適宜組合わせれば、不快な打球音を防止する効果をより大きくできる。
【００３０】
さらに、前記実施例では、ウッドクラブを例に採って説明したが、本発明は、アイアンクラブにも適用できる。要は、複数の金属殻を接合して内部に中空部を有する任意のヘッドに本発明は適用可能である。
【００３１】
【発明の効果】
請求項１の発明によれば、複数の金属殻を接合して形成され内部に中空部を有するヘッドを備えたゴルフクラブにおいて、前記ヘッドの側周部の内壁に、上下方向において中間の高さの位置に肉盛打球音調整部が肉盛溶接により突出形成されていると共に、肉盛打球音調整部は、ほぼ水平になって、トウ側からバックを経てヒール側に至るように形成したので、ヘッドの重量の増大を抑えながら、ゴルファーにとって快適な打球音が得られる。
【００３２】
請求項２の発明によれば、複数の金属殻を接合して形成され内部に中空部を有するヘッドを備えたゴルフクラブにおいて、前記ヘッドの底部に、フェースと平行ないし直交する方向性を有するほぼ井の字形状に部分的に熱処理を施して硬化させた硬化打球音調整部を形成したので、ヘッドの重量の増大を抑えながら、ゴルファーにとって快適な打球音が得られる。
【００３３】
請求項３の発明によれば、複数の金属殻を接合して形成され内部に中空部を有するヘッドを備えたゴルフクラブにおいて、前記ヘッドのクラウン部材に、フェースと平行ないし直交する方向性を有するほぼ井の字形状に部分的に熱処理を施して硬化させた硬化打球音調整部を形成したので、ヘッドの重量の増大を抑えながら、ゴルファーにとって快適な打球音が得られる。
【００３４】
請求項４の発明によれば、複数の金属殻を接合して形成され内部に中空部を有するヘッドを備えたゴルフクラブにおいて、前記ヘッドの底部およびクラウン部材に、フェースと平行ないし直交する方向性を有するほぼ井の字形状に部分的に熱処理を施して硬化させた硬化打球音調整部を形成したので、ヘッドの重量の増大を抑えながら、ゴルファーにとって快適な打球音が得られる。
【図面の簡単な説明】
【図１】  本発明のゴルフクラブの第1実施例を示す一部を分解した斜視図である。
【図２】  同上断面図である。
【図３】  同上斜視図である。
【図４】  本発明のゴルフクラブの第２実施例を示す一部を分解した斜視図である。
【図５】  本発明のゴルフクラブの第３実施例を示す平面図である。
【図６】  同上底面図である。
【図７】  本発明のゴルフクラブの参考例を示す一部を分解した斜視図である。
【符号の説明】
１ ヘッド
２ フェース
６ トウ
７ ヒール
15 中空部
16 フェース部材（金属殻）
17 ボディ部材（金属殻）
18 クラウン部材（金属殻）
23 肉盛打球音調整部（打球音調整部）
25 硬化打球音調整部（打球音調整部）
26 硬化打球音調整部（打球音調整部）
【図１】
0003714520.tif 000002
【図２】
0003714520.tif 000003
【図３】
0003714520.tif 000004
【図４】
0003714520.tif 000005
【図５】
0003714520.tif 000006
【図６】
0003714520.tif 000007
【図７】
0003714520.tif 000008